(57)【要約】【課題】本発明は、環境温度変化による接着剤の膨張収縮によりレンズを光軸方向に移動させてしまうことが防止できるレンズユニットを提供することを目的とする。【解決手段】本発明のレンズユニットは、隣り合う受座５間に設けられた溝６に接着剤７が注入され、レンズ２の基準面と受座５との当接面以外のレンズ２の基準面と溝６の底部が接着され、かつ、接着剤７が注入された溝６には接着剤７の存在しない間隙部が設けられた構成である。【選択図】図２
2006162836.tif 000002
【特許請求の範囲】
【請求項１】
レンズと、このレンズを収納するための筒状のホルダと、このホルダの内周面に設けられた前記レンズの径方向の位置決めを行うための突起部と、前記ホルダの内周面に設けられた前記レンズの基準面を光軸方向に支持するための少なくとも３個の受座と、隣り合う前記受座間に設けられた溝とを備え、少なくとも２個所の前記溝に接着剤が注入され、前記レンズの基準面と前記受座との当接面以外の少なくとも前記レンズの基準面と前記溝の底部が接着され、かつ、少なくとも前記接着剤が注入された前記溝には前記接着剤の存在しない間隙部が設けられたレンズユニット。
【請求項２】
突起部は、ホルダの内周面を少なくとも３等分に分割し、この各分割線上に頂点の内接円の中心が光軸と一致するように設けられた弦状平面部であり、この弦状平面部の内接円とほぼ同一径のレンズを挿入配設した請求項１に記載のレンズユニット。
【請求項３】
受座と溝は同数で、かつ、前記受座と前記溝は交互に配設された請求項１に記載のレンズユニット。
【請求項４】
溝の深さは、ホルダの内周面に向かって漸次深くなるように構成された請求項１に記載のレンズユニット。
【発明の詳細な説明】
【技術分野】
【０００１】
本発明は、レンズを接着剤によりホルダに固定するレンズユニットに関する。
【背景技術】
【０００２】
近年、カメラ付き携帯電話用のレンズユニットとして特許文献１に記載されたようなものが知られている。このレンズユニットは、筒部の３等分位置に、その内接円がレンズの外径と同一径で、しかも内接円の中心がレンズの光軸に一致する弦状の突起部を設け、さらにレンズを光軸方向に位置決めする受座が設けられ、レンズを突起部と受座の間に配設し、かつ、突起部の両側から低粘度の接着剤を注入しその接着剤を硬化させる構成である。
【特許文献１】特開平４−１６６９０４号公報
【発明の開示】
【発明が解決しようとする課題】
【０００３】
しかし、上記従来例においては、低粘度の接着剤を用いているため、接着剤がレンズと受座との間にも侵入しやすくなる。この侵入した接着剤が硬化した後に環境温度変化にさらされると、接着剤が膨張収縮しレンズを光軸方向に移動させてしまうという課題を有していた。
【０００４】
本発明は、上記問題点を解決するもので、環境温度変化による接着剤の膨張収縮によりレンズを光軸方向に移動させてしまうことが防止できるレンズユニットを提供することを目的とする。
【課題を解決するための手段】
【０００５】
この目的を達成するために、本発明の請求項１に記載の発明は、レンズと、このレンズを収納するための筒状のホルダと、このホルダの内周面に設けられた前記レンズの径方向の位置決めを行うための突起部と、前記ホルダの内周面に設けられた前記レンズの基準面を光軸方向に支持するための少なくとも３個の受座と、隣り合う前記受座間に設けられた溝とを備え、少なくとも２個所の前記溝に接着剤が注入され、前記レンズの基準面と前記受座との当接面以外の少なくとも前記レンズの基準面と前記溝の底部が接着され、かつ、少なくとも前記接着剤が注入された前記溝には前記接着剤の存在しない間隙部が設けられたレンズユニットであり、環境温度変化による接着剤の膨張収縮によりレンズを光軸方向に移動させてしまうことが防止できるという作用効果を奏する。
【０００６】
請求項２に記載の発明は、請求項１に記載の発明において、突起部は、ホルダの内周面を少なくとも３等分に分割し、この各分割線上に頂点の内接円の中心が光軸と一致するように設けられた弦状平面部であり、この弦状平面部の内接円とほぼ同一径のレンズを挿入配設しており、レンズを径方向に位置決めする時の精度を得やすいという作用効果を奏する。
【０００７】
請求項３に記載の発明は、請求項１に記載の発明において、受座と溝は同数で、かつ、前記受座と前記溝は交互に配設されており、レンズの応力の加わり方が均一になりやすいという作用効果を奏する。
【０００８】
請求項４に記載の発明は、請求項１に記載の発明において、溝の深さは、ホルダの内周面に向かって漸次深くなるように構成されており、ホルダの内周面近傍に接着剤を偏在させることができるという作用効果を奏する。
【発明の効果】
【０００９】
本発明のレンズユニットは、レンズと、このレンズを収納するための筒状のホルダと、このホルダの内周面に設けられた前記レンズの径方向の位置決めを行うための突起部と、前記ホルダの内周面に設けられた前記レンズの基準面を光軸方向に支持するための少なくとも３個の受座と、隣り合う前記受座間に設けられた溝とを備え、少なくとも２個所の前記溝に接着剤が注入され、前記レンズの基準面と前記受座との当接面以外の少なくとも前記レンズの基準面と前記溝の底部が接着され、かつ、少なくとも前記接着剤が注入された前記溝には前記接着剤の存在しない間隙部が設けられたレンズユニットであり、環境温度変化による接着剤の膨張収縮によりレンズを光軸方向に移動させてしまうことが防止できる。
【発明を実施するための最良の形態】
【００１０】
以下、本発明の一実施形態について図面を用いて説明する。
【００１１】
（実施の形態１）
図１は、本発明の実施の形態１におけるレンズユニットの斜視図、図２は同レンズユニットのＡ−Ａ断面図、図３は、同レンズユニットのＢ−Ｂ断面図である。
【００１２】
図１〜図３において、１は筒状のホルダ、２はレンズ、３はレンズ２の基準面、４は突起部としての弦状平面部、５はホルダ１の内周面から中心に向かって延出した受座、６は隣り合う弦状平面部４間の受座５の一部に弓形を呈する溝、７はＵＶ硬化性の接着剤である。
【００１３】
弦状平面部４は、ホルダ１の内周面を３等分に分割し、この各分割線上に頂点の内接円の中心が光軸と一致するように設けられ、この弦状平面部４によりレンズ２を径方向に位置決めする。受座５は、弦状平面部４に対応してそれぞれ３箇所に設けられている。この弦状平面部４によりレンズ２の基準面３を光軸方向に支持するように当接している。接着剤７は、溝６の周方向の中央部近傍、かつ、ホルダ１の内周面寄りに偏在して塗布され、レンズ２の基準面３と溝６の底部がＵＶ照射により接着されている。また、溝６の周方向であり、かつ、両側面部分には接着剤７が存在しない間隙部が設けられている。さらに、溝６の径方向側であり、かつ、内周壁近傍にも接着剤７が存在しない間隙部が設けられている。これにより、接着剤７がレンズ２の基準面３と受座５との当接面には進入することがない。従って、環境温度変化による接着剤７の膨張収縮によりレンズ２を光軸方向に移動させてしまうことを防止できる。また、接着剤７が存在しない間隙部が設けられているため外部との通気性が確保されているので、レンズ２の面への結露の発生を防止できる。
【００１４】
弦状平面部４を用いているため、レンズ２を径方向に位置決めする時の精度が得やすくなる。また、受座５と溝６は同数で、かつ、受座５と溝６が交互に配設されているため、レンズ２への応力の加わり方が均一になりやすいという効果もある。
【００１５】
本実施の形態においては、受座５として３個形成する場合について説明したが、これに特定されるものでなく少なくとも３個以上の受座５が設けられていればよい。
【００１６】
また、本実施の形態において３ヵ所の溝６に接着剤７が注入されている例について説明したが、これに特定されるものでなく少なくとも２箇所以上の溝６に接着剤が注入されていればよい。
【００１７】
また、本実施の形態においては、接着剤７としてＵＶ硬化性の接着剤の例について説明したが、これに特定されるものではなく、２液性の接着剤（例えば、アクリル系、エポキシ系）、その他にも様々な高粘度の接着剤が使用可能である。
【００１８】
（実施の形態２）
図４は、図２に示すレンズユニットの実施の形態２におけるＢ−Ｂ断面図である。本実施の形態において、実施の形態１と異なるのは溝６の形状である。従って、その他の構成に関しては、実施の形態１に述べた通りであり同一構成部分に関しては、同一番号を付与し詳細な説明は省略する。
【００１９】
図４において溝６は、ホルダ１の内周面に向かって漸次深くなるように構成されている。この構成により、ホルダ１の内周面近傍に接着剤７を偏在させることができる。
【産業上の利用可能性】
【００２０】
本発明は、環境温度変化による接着剤の膨張収縮によりレンズを光軸方向に移動させてしまうことが防止できるレンズユニットとして有用である。
【図面の簡単な説明】
【００２１】
【図１】本発明の実施の形態１におけるレンズユニットの斜視図
【図２】同レンズユニットのＡ−Ａ断面図
【図３】同レンズユニットのＢ−Ｂ断面図
【図４】図２に示すレンズユニットの実施の形態２におけるＢ−Ｂ断面図
【符号の説明】
【００２２】
１  ホルダ
２  レンズ
３  基準面
４  弦状平面部
５  受座
６  溝
７  接着剤
【図１】
2006162836.tif 000003
【図２】
2006162836.tif 000004
【図３】
2006162836.tif 000005
【図４】
2006162836.tif 000006